(57)【要約】【課題】雨水等の水抜きを効率的に行え、結露等も防げる通気機構を有するとともに、容易に施工可能なサイディングの連結構造を提供する。【解決手段】本発明にかかるサイディングの連結構造は、サイディングを縦方向に連結する構造であって、躯体に固定される横長のベース部３とこのベース部３に一体に形成された断面Ｌ字形の支持部１とで上部サイディング５を支持する断面略コ字形が形成され、上記ベース部３の下端部から延設され下部サイディング６の上端部を覆う水切り部２が形成され、上記支持部１の立ち上がり片１１の駆体側には位置決め部１１ａが水平に凸設され、上記支持部１の底部１２には水抜き孔１２１が設けられたものである。【選択図】図１
2007023571.tif 000002
【特許請求の範囲】
【請求項１】
サイディングを縦方向に連結する構造であって、躯体に固定される横長のベース部とこのベース部に一体に形成された断面Ｌ字形の支持部とで上部サイディングを支持する断面略コ字形が形成され、上記ベース部の下端部から延設され下部サイディングの上端部を覆う水切り部が形成され、上記支持部の立ち上がり片の駆体側には位置決め部が水平に凸設され、上記支持部の底部には水抜き孔が設けられたサイディングの連結構造。
【請求項２】
上記位置決め部が下方に斜行して設けられ、上記水切り部が段部と該段部に垂設された水切り片とからなる請求項１に記載のサイディングの連結構造。
【請求項３】
上記水切り部の駆体側に水切り片と並行に垂直位置決め片が垂設され、該垂直位置決め片の長手方向上部を等間隔で駆体側に略直角に切り起して空気抜き孔を設けるとともに、切り起こし片が上記垂直位置決め片と共に下部サイディングを位置決めする請求項２に記載のサイディングの連結構造。
【発明の詳細な説明】
【技術分野】
【０００１】
本発明は、上下に隣接するサイディングの間に介装され、上部のサイディングを支持するとともに、下部のサイディングの上端部を覆う連結構造に関する。
【背景技術】
【０００２】
従来からサイディング等の外装材を縦方向に継ぎ足して駆体に施工する場合、上下の外装材の端部を仕舞う連結構造は種々知られており、例えば、下記特許文献１をあげることができる。
【特許文献１】特開２００１−１５２６５５号公報（第１〜３頁、第２図）
【発明の開示】
【発明が解決しようとする課題】
【０００３】
上記特許文献１には、サイディング等の外装材に介装され、上下に隣接する外装材の端部を仕舞う仕舞い構造が開示されている。本願図５に示すように、上記仕舞い構造Ｃは、底片７ａと前片７ｂと背片７ｃからなり、上部外装材の下端部を覆う断面略Ｕ字形の端部カバー材７と中間水切り材８とからなり、上記端部カバー材７の底片７ａには、切り起し片９が上方に切り起され水抜き孔９１が形成されている。この水切り孔９１および切り起し片９は、端部カバー材７の長手方向に等間隔で設けられるが、隣り合う切り起し片９は切り起し片９どうしが対峙するように設けられ、切り起し角度は９０°以下となるように傾斜している。
【０００４】
しかしながら、上記図５から示されるように、端部カバー材７の中に入った雨水は対峙する切り起し片９によって流れが遮られ、水抜き孔９１に流れ込み難いという問題がある。本発明はこのような問題を解決して、雨水等の水抜きを効率的に行え、結露等も防げる通気機構を有するとともに、容易に施工可能なサイディングの連結構造を提供することを、その課題とする。
【課題を解決するための手段】
【０００５】
上記課題を解決するために、本発明にかかるサイディングの連結構造は請求項１に記載したように、サイディングを縦方向に連結する構造であって、躯体に固定される横長のベース部とこのベース部に一体に形成された断面Ｌ字形の支持部とで上部サイディングを支持する断面略コ字形が形成され、上記ベース部の下端部から延設され下部サイディングの上端部を覆う水切り部が形成され、上記支持部の立ち上がり片の駆体側には位置決め部が水平に凸設され、上記支持部の底部には水抜き孔が設けられたものである。
【０００６】
また、請求項２に記載のサイディングの連結構造は、請求項１の発明に加えて、上記位置決め部が下方に斜行して設けられ、上記水切り部が段部と該段部に垂設された水切り片とからなる。上記段部は緩やかに下り勾配に設けられることが好ましく、この段部の端部に水切り片が垂下するように設けられることが好ましい。
【０００７】
請求項３に記載のサイディングの連結構造は、請求項２の発明に加え、上記水切り部の駆体側に水切り片と並行に垂直位置決め片が垂設され、該垂直位置決め片の長手方向上部を等間隔で駆体側に略直角に切り起して空気抜き孔を設けるとともに、切り起こし片が上記垂直位置決め片と共に下部サイディングを位置決めするものである。
【発明の効果】
【０００８】
請求項１に記載のサイディングの連結構造は上記のとおりであり、上部サイディングを支持する断面略コ字形の支持部の立ち上がり片の駆体側には位置決め部が水平に凸設されているため、上部サイディングはこの水平位置決め部に載置され、位置決めされるとともに、断面略コ字形の支持部によってしっかりと支持される。また、上記支持部の底部には水抜き孔が設けられているため、支持部内に浸入した雨水や結露等によって生じた水分は上記水抜き孔から排出することができ、上部サイディングの裏打ち材、例えば断熱材が劣化したりすること等を防げる。
【０００９】
請求項２に記載のサイディングの連結構造は上記のとおりであり、請求項１のサイディングの連結構造の有する効果に加え、上記位置決め部が下方に斜行して設けられているため、上部サイディングはこの斜行位置決め部に載置され、位置決めされるとともに、上部サイディングの表面に結露した結露水や吹き降りの雨等は斜め下方への傾斜に沿ってスムースに流れる。また、上記水切り部は段部と該段部に垂設された水切り片とからなるため、上記水抜き孔から滴下した水滴や雨水等は段部で受け、水切り片を伝って容易に流下するとともに、下部サイディングの上端部が濡れることを防ぎ、断熱材等の裏打ち材が劣化すること等を防ぐ。
【００１０】
請求項３に記載のサイディングの連結構造は上記のとおりであり、請求項２のサイディングの連結構造の有する効果に加え、上記水切り部の駆体側に水切り片と並行に垂直位置決め片が垂設され、該垂直位置決め片の長手方向上部を等間隔で駆体側に略直角に切り起して空気抜き孔が設けられているため、通気機能を発揮して、駆体の壁面と下部サイディングの背後との空間の湿気を換気し、カビの発生等により、下部サイディングが劣化することを防ぐ。また、上記切り起こしによって生じた切り起こし片は、下部サイディングの上端部に当接し、垂直位置決め片と共に下部サイディングをしっかりと位置決めする。
【発明を実施するための最良の形態】
【００１１】
以下、本発明の実施形態について図面を参照して、詳細に説明する。図１ないし図４は本発明にかかるサイディングの連結構造を示すものである。図１は、上記サイディングの連結構造の第１実施形態Ａを示す斜視図である。図２は図１に示すサイディングの連結構造Ａを用いてサイディングを縦方向に連結した状態を示す側断面図である。以下、図１、図２を参照して説明する。
【００１２】
第１実施形態にかかるサイディングの連結構造Ａは駆体Ｋに固定される横長のベース部３とこのベース部３に一体に形成された断面略Ｌ字形の支持部１とで上部サイディング５を支持する断面略コ字形が形成され、上記ベース部３の下端部に延設され下部サイディング６の上端部を覆う水切り部２が形成されている。上記支持部１の外側の立ち上がり片１１の内側には水平位置決め部１１ａが凸設され、支持部１の底部１２には水抜き孔１２１が設けられている。上記水切り部２は段部２１とこの段部２１に垂設された水切り片２２とからなる。
【００１３】
サイディングの連結構造Ａは上記のように構成されているため、上部サイディング５は水平位置決め部１１ａに載置され、位置決めされるとともに、断面略コ字形の支持部１によって支持される。また、駆体Ｋの壁面を伝って支持部１内に浸入した雨水や結露等によって生じた水分は水抜き孔１２１から排出されるため、上部サイディング５の裏打ち材、例えば断熱材が劣化したりする等の弊害を防ぐことができる。さらに、水切り部２の段部２１が下部サイディング６を覆って張り出し、水切り片２２が垂下しているため、上記水抜き孔１２１から滴下した水滴や、吹き降りの雨等が下部サイディング６の上端部を濡らすことを防ぐ。
【００１４】
つぎに、本発明にかかるサイディングの連結構造の第２実施形態Ｂについて説明する。図３は上記サイディングの連結構造の第２実施形態Ｂを示す斜視図である。図４は図３に示すサイディングの連結構造Ｂを用いてサイディングを縦方向に連結した状態を示す側断面図である。以下、図３、図４を参照して説明する。
【００１５】
上記サイディングの連結構造Ｂは駆体Ｋに固定される横長のベース部３とこのベース部３と断面略Ｌ字形の部材とからなり、上部サイディング５を支持する断面略コ字形の支持部１と、上記ベース部３の下端部に延設され下部サイディング６の上端部を覆う水切り部２とからなっている。上記支持部１の外側の立ち上がり片１１の内側には斜行位置決め部１１ｂが設けられ、支持部１の底部１２には水抜き孔１２１が設けられている。上記水切り部２は段部２１とこの段部２１に垂設された水切り片２２とからなる。
【００１６】
図３に示されているように、第２実施形態においては水切り片２２の駆体側に垂直位置決め片４が並行して垂設され、この垂直位置決め片４の長手方向上部を等間隔で略直角に駆体側に切り起こし、空気抜き孔４１が設けられている。上記切り起こしによって生じた切り起こし片４２は、図４に示されているように下部サイディング６の上端部に当接し、垂直位置決め片４と共に下部サイディング６をしっかりと位置決めする。
【００１７】
第２実施形態にかかるサイディングの連結構造Ｂは上記のように構成されているため、下方に斜行して設けられた斜行位置決め部１１ｂは上部サイディング５を載置して位置決めするとともに、上部サイディング５の表面に結露した結露水や吹き降りの雨等を斜め下方にスムースに流す。このようにして底部１２に集められた水は、第１実施形態と同様に水抜き孔１２１から排出され、水切り部２を伝って流下する。また、空気抜き孔４１は通気手段として機能し、駆体Ｋの壁面と下部サイディング６の背後との空間の湿気を換気し、カビの発生等により下部サイディング６が劣化することを防ぐ。
【図面の簡単な説明】
【００１８】
【図１】本発明にかかるサイディングの連結構造の第１実施形態を示す斜視図である。
【図２】図１に示すサイディングの連結構造を用いてサイディングを縦方向に連結した状態を示す側断面図である。
【図３】本発明にかかるサイディングの連結構造の第２実施形態を示す斜視図である。
【図４】図３に示すサイディングの連結構造を用いてサイディングを縦方向に連結した状態を示す側断面図である。
【図５】公知の外装材の端部の仕舞い構造を示す側断面図である。
【符号の説明】
【００１９】
Ａ          本発明の第１実施形態にかかるサイディングの連結構造
１          支持部
１１        立ち上がり片
１１ａ      水平位置決め部
１２        底部
１２１      水抜き孔
２          水切り部
２１        段部
２２        水切り片
３          ベース部
５          上部サイディング
６          下部サイディング
Ｋ          駆体
Ｂ          本発明の第２実施形態にかかるサイディングの連結構造
１１ｂ      斜行位置決め部
４          垂直位置決め片
４１        空気抜き孔
４２        切り起こし片
Ｃ          公知の外装材の端部の仕舞い構造
７          端部カバー材
７ａ        底片
７ｂ        前片
７ｃ        背片
８          中間水切り材
９          切り起し片
９１        水抜き孔
【図１】
2007023571.tif 000003
【図２】
2007023571.tif 000004
【図３】
2007023571.tif 000005
【図４】
2007023571.tif 000006
【図５】
2007023571.tif 000007